(57)【要約】部品精度に拠らずに安定した操作リングの操作感が得られるレンズ鏡胴を提供する。絞りリング（６）には、円周方向に沿って一定の角度間隔で多極着磁されたリング状の多極磁石（１２）が備えられる。固定枠（７）には、板金部品（１３）が備えられる。板金部品（１３）は、本体部（２４Ａ）及び突起部（１３Ｂ）で構成される。本体部（２４Ａ）は、固定枠（７）のフランジ（８）に配置され、突起部（１３Ｂ）は、固定枠（７）の外周に配置される。多極磁石（１２）と板金部品（１３）の突起部（１３Ｂ）との間に作用する磁気吸引力によって、絞りリング（６）が一定の角度間隔でクリックストップする。また、多極磁石（１２）と板金部品（１３）の本体部（２４Ａ）との間に作用する磁気吸引力によって、絞りリング（６）が固定枠（７）のフランジ（８）に引き寄せられ、ガタ寄せされる。
2020085410.tif 000002
【特許請求の範囲】
【請求項１】
固定枠と、
前記固定枠の外周に径嵌合される操作リングと、
前記固定枠に備えられ、前記操作リングの端面が当接される端面当接部と、
円周方向に沿って一定の角度間隔で前記操作リングに備えられる少なくとも１つの磁石部と、
前記固定枠に備えられ、前記磁石部との間の作用する磁気吸引力によって、前記操作リングをクリックストップさせる第１磁性部と、
前記端面当接部に備えられ、前記磁石部との間に作用する磁気吸引力によって、前記操作リングを前記端面当接部に引き寄せて当接させる第２磁性部と、
を備えたレンズ鏡胴。
【請求項２】
前記第２磁性部と前記磁石部との間に作用する磁気吸引力が、前記第１磁性部と前記磁石部との間に作用する磁気吸引力よりも弱く設定された、
請求項１に記載のレンズ鏡胴。
【請求項３】
前記操作リングは、前記磁石部がインサート成形された樹脂の一体成形品で構成される、
請求項１又は２に記載のレンズ鏡胴。
【請求項４】
前記操作リングは、前記磁石部がボンド磁石で二色成形された樹脂の一体成形品で構成される、
請求項１又は２に記載のレンズ鏡胴。
【請求項５】
前記固定枠及び前記端面当接部は、前記第１磁性部及び前記第２磁性部がインサート成形された樹脂の一体成形品で構成される、
請求項１から４のいずれか１項に記載のレンズ鏡胴。
【請求項６】
前記第１磁性部及び前記第２磁性部が、磁性材料による一体成形品で構成される、
請求項１から５のいずれか１項に記載のレンズ鏡胴。
【請求項７】
前記第２磁性部が、前記固定枠の外周に径嵌合されるリング形状又は円弧形状を有し、
前記第１磁性部が、前記第２磁性部から前記固定枠の外周面に沿って光軸方向に延びる板形状を有する、
請求項６に記載のレンズ鏡胴。
【請求項８】
前記第１磁性部及び前記第２磁性部が強磁性体で構成される、
請求項１から７のいずれか１項に記載のレンズ鏡胴。
【請求項９】
前記磁石部が、円周方向に多極着磁されたリング状又は円弧状の多極磁石で構成される、
請求項１から８のいずれか１項に記載のレンズ鏡胴。
【請求項１０】
前記操作リングの回転による磁束の変化を検出して、前記操作リングの１クリックごとの回転を検出する回転検出部を更に備えた、
請求項１から９のいずれか１項に記載のレンズ鏡胴。
【請求項１１】
前記磁石部は、
円周方向に沿って第１の角度間隔で備えられる少なくとも１つの第１の磁石部と、
隣り合う前記第１の磁石部の間に第２の角度間隔で備えられる少なくとも１つの第２の磁石部と、
で構成され、
前記第１の磁石部と前記第１磁性部との間に作用する磁気吸引力が、前記第２の磁石部と前記第１磁性部との間に作用する磁気吸引力よりも強く設定された、
請求項１から１０のいずれか１項に記載のレンズ鏡胴。
【請求項１２】
前記第１の磁石部と前記第１磁性部との間に備えられる隙間が、前記第２の磁石部と前記第１磁性部との間に備えられる隙間よりも狭く設定されることにより、前記第１の磁石部と前記第１磁性部との間に作用する磁気吸引力が、前記第２の磁石部と前記第１磁性部との間に作用する磁気吸引力よりも強く設定される、
請求項１１に記載のレンズ鏡胴。
【請求項１３】
前記第１の磁石部と前記第１磁性部とが重なり合う領域の面積が、前記第２の磁石部と前記第１磁性部とが重なり合う領域の面積よりも広く設定されることにより、前記第１の磁石部と前記第１磁性部との間に作用する磁気吸引力が、前記第２の磁石部と前記第１磁性部との間に作用する磁気吸引力よりも強く設定される、
請求項１１に記載のレンズ鏡胴。
【請求項１４】
前記操作リングの可動範囲を規制する可動範囲規制部を更に備え、
前記磁石部は、前記操作リングの可動範囲に対応した角度範囲に備えられる、
請求項１から１３のいずれか１項に記載のレンズ鏡胴。
【請求項１５】
固定枠と、
前記固定枠の外周に径嵌合される操作リングと、
前記固定枠に備えられ、前記操作リングの端面が当接される端面当接部と、
前記操作リングに備えられる磁性部と、
円周方向に沿って一定の角度間隔で前記固定枠に備えられ、前記磁性部との間の作用する磁気吸引力によって、前記操作リングをクリックストップさせる第１磁石部と、
円周方向に沿って一定の角度間隔で前記端面当接部に備えられ、前記磁性部との間に作用する磁気吸引力によって、前記操作リングを前記端面当接部に引き寄せて当接させる第２磁石部と、
を備えたレンズ鏡胴。
【請求項１６】
前記第２磁石部と前記磁性部との間に作用する磁気吸引力が、前記第１磁石部と前記磁性部との間に作用する磁気吸引力よりも弱く設定された、
請求項１５に記載のレンズ鏡胴。
【請求項１７】
前記固定枠及び前記端面当接部は、前記第１磁石部及び前記第２磁石部がインサート成形された樹脂の一体成形品で構成される、
請求項１５又は１６に記載のレンズ鏡胴。
【請求項１８】
前記固定枠及び前記端面当接部は、前記第１磁石部及び前記第２磁石部がボンド磁石で二色成形された樹脂の一体成形品で構成される、
請求項１５又は１６に記載のレンズ鏡胴。
【請求項１９】
前記操作リングは、前記磁性部がインサート成形された樹脂の一体成形品で構成される、
請求項１５から１８のいずれか１項に記載のレンズ鏡胴。
【請求項２０】
前記磁性部が強磁性体で構成される、
請求項１５から１９のいずれか１項に記載のレンズ鏡胴。
【請求項２１】
前記第１磁石部は、
円周方向に沿って第１の角度間隔で備えられる少なくとも１つの第１の第１磁石部と、
隣り合う前記第１磁石部の間に第２の角度間隔で備えられる少なくとも１つの第２の第１磁石部と、
で構成され、
前記第１の第１磁石部と前記磁性部との間に作用する磁気吸引力が、前記第２の第１磁石部と前記磁性部との間に作用する磁気吸引力よりも強く設定された、
請求項１５から２０のいずれか１項に記載のレンズ鏡胴。
【請求項２２】
前記第１の第１磁石部と前記磁性部との間に備えられる隙間が、前記第２の第１磁石部と前記磁性部との間に備えられる隙間よりも狭く設定されることにより、前記第１の第１磁石部と前記磁性部との間に作用する磁気吸引力が、前記第２の第１磁石部と前記磁性部との間に作用する磁気吸引力よりも強く設定される、
請求項２１に記載のレンズ鏡胴。
【請求項２３】
前記第１の第１磁石部と前記磁性部とが重なり合う領域の面積が、前記第２の第１磁石部と前記磁性部とが重なり合う領域の面積よりも広く設定されることにより、前記第１の第１磁石部と前記磁性部との間に作用する磁気吸引力が、前記第２の第１磁石部と前記磁性部との間に作用する磁気吸引力よりも強く設定される、
請求項２１に記載のレンズ鏡胴。
【請求項２４】
前記操作リングの可動範囲を規制する可動範囲規制部を更に備え、
前記第１磁石部及び前記第２磁石部は、前記操作リングの可動範囲に対応した角度範囲に備えられる、
請求項１５から２３のいずれか１項に記載のレンズ鏡胴。
【発明の詳細な説明】
【技術分野】
【０００１】
本発明は、レンズ鏡胴に係り、特に、操作リングを備えたレンズ鏡胴に関する。
【背景技術】
【０００２】
一般に絞り操作用の操作リング（絞りリング）には、クリック機構（クリックストップ機構ともいう）が備えられる。この種のクリック機構は、円周方向に一定の角度間隔で備えられる複数のクリック溝と、そのクリック溝に対してバネに付勢されて嵌合するクリックボールと、で構成される（たとえば、特許文献１等）。【０００３】
しかしながら、クリック溝とクリックボールによるクリック機構は、部品点数が多く、組み立てに手間がかかるという欠点がある。また、部品点数の多さから、精度管理が難しく、製品間でクリック感にバラツキが生じやすいという欠点もある。更に、クリックボールの摺動による磨耗によって、操作感が低減したり、ゴミが発生したりするという欠点もある。【０００４】
一方、回転式のダイヤルのクリック機構として、特許文献２〜４には、磁力を利用したクリック機構が提案されている。このクリック機構は、円周方向に一定の角度間隔で配置される複数の磁石と、その磁石に対向して配置される磁性体又は磁石と、で構成される。
【先行技術文献】
【特許文献】
【０００５】
【特許文献１】特開2013-137505号公報
【特許文献２】特開2016-219165号公報
【特許文献３】特開2010-176971号公報
【特許文献４】特開平8-116478号公報
【発明の概要】
【発明が解決しようとする課題】
【０００６】
磁力を利用したクリック機構を操作リングに適用した場合において、より安定した操作感を得るためには、操作リングをガタなく組み付ける必要がある。そのためには、高い部品精度が要求される。【０００７】
本発明は、このような事情に鑑みてなされたもので、部品精度に拠らずに安定した操作リングの操作感が得られるレンズ鏡胴を提供することを目的とする。
【課題を解決するための手段】
【０００８】
上記課題を解決するための手段は、次のとおりである。【０００９】
（１）固定枠と、固定枠の外周に径嵌合される操作リングと、固定枠に備えられ、操作リングの端面が当接される端面当接部と、円周方向に沿って一定の角度間隔で操作リングに備えられる少なくとも１つの磁石部と、固定枠に備えられ、磁石部との間の作用する磁気吸引力によって、操作リングをクリックストップさせる第１磁性部と、端面当接部に備えられ、磁石部との間に作用する磁気吸引力によって、操作リングを端面当接部に引き寄せて当接させる第２磁性部と、を備えたレンズ鏡胴。【００１０】
本態様によれば、操作リングに備えられた磁石部と、固定枠に備えられた第１磁性部との間に磁気吸引力が作用する。この結果、操作リングを回転させると、一定の角度間隔でクリック感が発生する。なお、ここでの一定の角度間隔は、ほぼ一定と認められる角度間隔が含まれる。また、本態様によれば、操作リングに備えられた磁石部と、端面当接部に備えられた第２磁性部との間に磁気吸引力が作用する。この結果、操作リングが、端面当接部に引き寄せられ、端面当接部に当接する。これにより、操作リングがガタ寄せされ、ガタツキのない安定した操作感が得られる。【００１１】
（２）第２磁性部と磁石部との間に作用する磁気吸引力が、第１磁性部と磁石部との間に作用する磁気吸引力よりも弱く設定された、上記（１）のレンズ鏡胴。【００１２】
本態様によれば、第２磁性部と磁石部との間に作用する磁気吸引力が、第１磁性部と磁石部との間に作用する磁気吸引力よりも弱く設定される。これにより、操作リングと端面当接部との間に生じる摩擦を低減でき、よりスムーズな回転操作を実現できる。なお、第２磁性部と磁石部との間に作用させる磁気吸引力は、ガタ寄せが目的であるので、当該目的を実現できる範囲で設定することが好ましい。【００１３】
（３）操作リングは、磁石部がインサート成形された樹脂の一体成形品で構成される、上記（１）又は（２）のレンズ鏡胴。【００１４】
本態様によれば、操作リングに磁石部がインサート成形され、一体成形品として構成される。これにより、組み立ての工数を低減できる。【００１５】
（４）操作リングは、磁石部がボンド磁石で二色成形された樹脂の一体成形品で構成される、上記（１）又は（２）のレンズ鏡胴。【００１６】
本態様によれば、ボンド磁石を用いて磁石部が操作リングに二色成形によって一体成形される。これにより、組み立ての工数を低減できる。【００１７】
（５）固定枠及び端面当接部は、第１磁性部及び第２磁性部がインサート成形された樹脂の一体成形品で構成される、上記（１）から（４）のいずれか一のレンズ鏡胴。【００１８】
本態様によれば、固定枠及び端面当接部が樹脂による一体成形品で構成され、かつ、第１磁性部及び第２磁性部がインサート成形により、一体成形される。これにより、組み立ての工数を低減できる。【００１９】
（６）第１磁性部及び第２磁性部が、磁性材料による一体成形品で構成される、上記（１）から（５）のいずれか一のレンズ鏡胴。【００２０】
本態様によれば、第１磁性部及び第２磁性部が、磁性材料による一体成形品で構成される。これにより、組み立ての工数を低減できる。【００２１】
（７）第２磁性部が、固定枠の外周に径嵌合されるリング形状又は円弧形状を有し、第１磁性部が、第２磁性部から固定枠の外周面に沿って光軸方向に延びる板形状を有する、上記（６）のレンズ鏡胴。【００２２】
本態様によれば、第２磁性部が、固定枠の外周に径嵌合されるリング形状又は円弧形状を有する。また、第１磁性部が、第２磁性部から固定枠の外周面に沿って光軸方向に延びる板形状を有する。【００２３】
（８）第１磁性部及び第２磁性部が強磁性体で構成される、上記（１）から（７）のいずれか一のレンズ鏡胴。【００２４】
本態様によれば、第１磁性部及び第２磁性部が強磁性体（たとえば、鉄等）で構成される。【００２５】
（９）磁石部が、円周方向に多極着磁されたリング状又は円弧状の多極磁石で構成される、上記（１）から（８）のいずれか一のレンズ鏡胴。【００２６】
本態様によれば、磁石部が、円周方向に多極着磁されたリング状又は円弧状の多極磁石で構成される。【００２７】
（１０）操作リングの回転による磁束の変化を検出して、操作リングの１クリックごとの回転を検出する回転検出部を更に備えた、上記（１）から（９）のいずれか一のレンズ鏡胴。【００２８】
本態様によれば、操作リングに備えられた磁石部を利用して、操作リングの１クリックごとの回転が検出される。【００２９】
（１１）磁石部は、円周方向に沿って第１の角度間隔で備えられる少なくとも１つの第１の磁石部と、隣り合う第１の磁石部の間に第２の角度間隔で備えられる少なくとも１つの第２の磁石部と、で構成され、第１の磁石部と第１磁性部との間に作用する磁気吸引力が、第２の磁石部と第１磁性部との間に作用する磁気吸引力よりも強く設定された、上記（１）から（１０）のいずれか一のレンズ鏡胴。【００３０】
本態様によれば、磁石部が第１の磁石部及び第２の磁石部で構成され、第１の磁石部と第２の磁石部とで異なるクリック感が発生する。【００３１】
（１２）第１の磁石部と第１磁性部との間に備えられる隙間が、第２の磁石部と第１磁性部との間に備えられる隙間よりも狭く設定されることにより、第１の磁石部と第１磁性部との間に作用する磁気吸引力が、第２の磁石部と第１磁性部との間に作用する磁気吸引力よりも強く設定される、上記（１１）のレンズ鏡胴。【００３２】
本態様によれば、第１磁性部との間の隙間を調整することで、クリック感が調整される。【００３３】
（１３）第１の磁石部と第１磁性部とが重なり合う領域の面積が、第２の磁石部と第１磁性部とが重なり合う領域の面積よりも広く設定されることにより、第１の磁石部と第１磁性部との間に作用する磁気吸引力が、第２の磁石部と第１磁性部との間に作用する磁気吸引力よりも強く設定される、上記（１１）のレンズ鏡胴。【００３４】
本態様によれば、第１磁性部と重なる領域の面積を調整することで、クリック感が調整される。【００３５】
（１４）操作リングの可動範囲を規制する可動範囲規制部を更に備え、磁石部は、操作リングの可動範囲に対応した角度範囲に備えられる、上記（１）から（１３）のいずれか一のレンズ鏡胴。【００３６】
本態様によれば、絞りリングの可動範囲が一定の角度範囲に規制され、その可動範囲に対応した角度範囲に磁石部が備えられる。【００３７】
（１５）固定枠と、固定枠の外周に径嵌合される操作リングと、固定枠に備えられ、操作リングの端面が当接される端面当接部と、操作リングに備えられる磁性部と、円周方向に沿って一定の角度間隔で固定枠に備えられ、磁性部との間の作用する磁気吸引力によって、操作リングをクリックストップさせる第１磁石部と、円周方向に沿って一定の角度間隔で端面当接部に備えられ、磁性部との間に作用する磁気吸引力によって、操作リングを端面当接部に引き寄せて当接させる第２磁石部と、を備えたレンズ鏡胴。【００３８】
本態様によれば、操作リングに備えられた磁性部と、固定枠に備えられた第１磁石部との間に磁気吸引力が作用する。この結果、操作リングを回転させると、一定の角度間隔でクリック感が発生する。なお、ここでの一定の角度間隔は、ほぼ一定と認められる角度間隔が含まれる。また、本態様によれば、操作リングに備えられた磁性部と、端面当接部に備えられた第２磁石部との間に磁気吸引力が作用する。この結果、操作リングが、端面当接部に引き寄せられ、端面当接部に当接する。これにより、操作リングがガタ寄せされ、ガタツキのない安定した操作感が得られる。【００３９】
（１６）第２磁石部と磁性部との間に作用する磁気吸引力が、第１磁石部と磁性部との間に作用する磁気吸引力よりも弱く設定された、上記（１５）のレンズ鏡胴。【００４０】
本態様によれば、第２磁石部と磁性部との間に作用する磁気吸引力が、第１磁石部と磁性部との間に作用する磁気吸引力よりも弱く設定される。これにより、操作リングと端面当接部との間に生じる摩擦を低減でき、よりスムーズな回転操作を実現できる。なお、第２磁石部と磁性部との間に作用させる磁気吸引力は、ガタ寄せが目的であるので、当該目的を実現できる範囲で設定することが好ましい。【００４１】
（１７）固定枠及び端面当接部は、第１磁石部及び第２磁石部がインサート成形された樹脂の一体成形品で構成される、上記（１５）又は（１６）のレンズ鏡胴。【００４２】
本態様によれば、固定枠及び端面当接部が樹脂による一体成形品で構成され、かつ、第１磁石部及び第２磁石部がインサート成形により、一体成形される。これにより、組み立ての工数を低減できる。【００４３】
（１８）固定枠及び端面当接部は、第１磁石部及び第２磁石部がボンド磁石で二色成形された樹脂の一体成形品で構成される、上記（１５）又は（１６）のレンズ鏡胴。【００４４】
本態様によれば、固定枠及び端面当接部が樹脂による一体成形品で構成される。また、ボンド磁石を用いて、第１磁石部及び第２磁石部が二色成形により一体成形される。これにより、組み立ての工数を低減できる。【００４５】
（１９）操作リングは、磁性部がインサート成形された樹脂の一体成形品で構成される、上記（１５）から（１８）のいずれか一のレンズ鏡胴。【００４６】
本態様によれば、磁性部がインサート成形により、操作リングに一体成形される。これにより、組み立ての工数を低減できる。【００４７】
（２０）磁性部が強磁性体で構成される、上記（１５）から（１９）のいずれか一のレンズ鏡胴。【００４８】
本態様によれば、磁性部が強磁性体（たとえば、鉄等）で構成される。【００４９】
（２１）第１磁石部は、円周方向に沿って第１の角度間隔で備えられる少なくとも１つの第１の第１磁石部と、隣り合う第１磁石部の間に第２の角度間隔で備えられる少なくとも１つの第２の第１磁石部と、で構成され、第１の第１磁石部と磁性部との間に作用する磁気吸引力が、第２の第１磁石部と磁性部との間に作用する磁気吸引力よりも強く設定された、上記（１５）から（２０）のいずれか一のレンズ鏡胴。【００５０】
本態様によれば、第１磁石部が第１の第１磁石部及び第２の第１磁石部で構成され、第１の第１磁石部と第２の第１磁石部とで異なるクリック感が発生する。【００５１】
（２２）第１の第１磁石部と磁性部との間に備えられる隙間が、第２の第１磁石部と磁性部との間に備えられる隙間よりも狭く設定されることにより、第１の第１磁石部と磁性部との間に作用する磁気吸引力が、第２の第１磁石部と磁性部との間に作用する磁気吸引力よりも強く設定される、上記（２１）のレンズ鏡胴。【００５２】
本態様によれば、第１磁性部との間の隙間を調整することで、クリック感が調整される。【００５３】
（２３）第１の第１磁石部と磁性部とが重なり合う領域の面積が、第２の第１磁石部と磁性部とが重なり合う領域の面積よりも広く設定されることにより、第１の第１磁石部と磁性部との間に作用する磁気吸引力が、第２の第１磁石部と磁性部との間に作用する磁気吸引力よりも強く設定される、上記（２１）のレンズ鏡胴。【００５４】
本態様によれば、第１磁性部と重なる領域の面積を調整することで、クリック感が調整される。【００５５】
（２４）操作リングの可動範囲を規制する可動範囲規制部を更に備え、第１磁石部及び第２磁石部は、操作リングの可動範囲に対応した角度範囲に備えられる、上記（１５）から（２３）のいずれか一のレンズ鏡胴。【００５６】
本態様によれば、絞りリングの可動範囲が一定の角度範囲に規制され、その可動範囲に対応した角度範囲に第１磁石部及び第２磁石部が備えられる。
【発明の効果】
【００５７】
本発明によれば、部品精度に拠らずに安定した操作リングの操作感が得られる。
【図面の簡単な説明】
【００５８】
【図１】本発明が適用されたレンズ鏡胴の第１の実施形態の外観構成を示す平面図
【図２】絞りリングの取り付け部の概略構成を示す斜視図
【図３】絞りリングの取り付け部の概略構成を示す分解斜視図
【図４】絞りリングの取り付け部の概略構成を示す側面断面図
【図５】図４の５−５断面図
【図６】多極磁石の概略構成を示す斜視図
【図７】図４の一部を拡大した図
【図８】磁気吸引力によるクリックストップの機能の説明図
【図９】磁気吸引力によるクリックストップの機能の説明図
【図１０】本発明が適用されたレンズ鏡胴の第２の実施形態の外観構成を示す平面図
【図１１】絞りリングの取り付け部の概略構成を示す分解斜視図
【図１２】絞りリングの取り付け部の側面断面図
【図１３】図１２の１３−１３断面図
【図１４】図１２の１４−１４断面図
【図１５】クリックストップの機能の説明図
【図１６】隙間を調整してクリック感を変える場合の多極磁石と突起部との関係を模式的に示した図
【図１７】隙間を調整してクリック感を変える場合の多極磁石と突起部との関係を模式的に示した図
【図１８】突起部に重なり合う領域の面積を変えて磁気吸引力を調整する場合の多極磁石の構成の一例を示す図
【図１９】絞りリングに備える磁石部の他の一例を模式的に示す図
【図２０】第１磁性部を磁石で構成する場合の一例を模式的に示す図
【図２１】固定枠側に磁石部、絞りリング側に磁性部を備える場合の絞りリングの取り付け部の構成の一例を示す分解斜視図
【発明を実施するための形態】
【００５９】
以下、添付図面に従って本発明を実施するための好ましい形態について詳説する。
【００６０】
［第１の実施の形態］
ここでは、本発明をレンズ交換式カメラの交換レンズのレンズ鏡胴に適用した場合を例に説明する。
【００６１】
［構成］
図１は、本発明が適用されたレンズ鏡胴の第１の実施形態の外観構成を示す平面図である。
【００６２】
同図に示すレンズ鏡胴１は、ズームレンズのレンズ鏡胴である。レンズ鏡胴１は、その鏡胴本体２の基端部にマウント３を有する。レンズ鏡胴１は、このマウント３を介して、カメラ本体（不図示）に着脱自在に装着される。また、レンズ鏡胴１は、その鏡胴本体２の外周にフォーカスリング４、ズームリング５及び絞りリング６を有する。レンズ鏡胴１は、フォーカスリング４を回転操作することにより、焦点調節される。また、ズームリング５を回転操作することにより、焦点距離が可変する。更に、絞りリング６を回転操作することにより、絞り値が切り替えられる。
【００６３】
フォーカスリング４は、円周方向にエンドレスかつ無段階に回転操作可能とされる。ズームリング５は、円周方向に一定の角度範囲で無段階に回転操作可能とされる。絞りリング６は、円周方向にエンドレスかつ段階的に回転操作可能とされる。すなわち、絞りリング６には、クリック機構が備えられ、一定の角度間隔で段階的に回転操作可能とされる。絞りリング６は、たとえば、１クリックごとに１／３ステップ（１／３段）で絞り値が切り替えられる。絞りリング６は、操作リングの一例である。
【００６４】
図２は、絞りリングの取り付け部の概略構成を示す斜視図である。図３は、絞りリングの取り付け部の概略構成を示す分解斜視図である。図４は、絞りリングの取り付け部の概略構成を示す側面断面図である。図５は、図４の５−５断面図である。
【００６５】
図２から図５に示すように、絞りリング６は、固定枠７の外周に径嵌合されて、鏡胴本体２に取り付けられる。固定枠７は、鏡胴本体２を構成する部材である。固定枠７は、マウント３に対して固定の部材である。
【００６６】
固定枠７は、円筒形状を有し、その外周にフランジ８を有する。フランジ８は、その後側（マウント側）の端面８Ａが、光軸Ｌと直交する面として構成される。このフランジ８の端面８Ａには、絞りリング６の前側の端面６Ａが当接される。これにより、絞りリング６の前側への移動が規制される。フランジ８は、端面当接部の一例である。
【００６７】
固定枠７には、絞りリング６と共に押さえリング９が取り付けられる。押さえリング９は、円筒形状を有し、固定枠７に取り付けられることにより、固定枠７のフランジ８との間で絞りリング６の光軸方向の移動を規制する。
【００６８】
押さえリング９は、バヨネット構造によって、固定枠７に取り付けられる。図３に示すように、押さえリング９の内周部には、円周方向の３箇所にロック用爪部１０が備えられる。一方、固定枠７の外周部には、円周方向の３箇所にロック用溝部１１が備えられる。ロック用溝部１１は、光軸方向に沿って延びる入口部１１Ａと、円周方向に沿って延びるロック部１１Ｂと、を有する。入口部１１Ａは、一端が固定枠７の後側（マウント側）の端面に開口する。ロック部１１Ｂは、一端が入口部１１Ａに連通する。ロック用爪部１０は、ロック用溝部１１に嵌合する高さを有し、かつ、その横幅（円周方向の幅）が、ロック用溝部１１の入口部１１Ａの幅（円周方向の幅）とほぼ同じ寸法を有する。また、その厚さ（光軸方向の幅）が、ロック用溝部１１のロック部１１Ｂの幅（光軸方向の幅）とほぼ同じ寸法を有する。押さえリング９を固定枠７に取り付ける場合は、まず、押さえリング９に備えられたロック用爪部１０の位置と固定枠７に備えられたロック用溝部１１の入口部１１Ａの位置を合わせる。その後、押さえリング９を光軸方向に沿ってスライドさせ、ロック用爪部１０をロック用溝部１１の入口部１１Ａに嵌合させる。更に、押さえリング９を円周方向に回転させて、ロック用爪部１０をロック部１１Ｂに嵌合させる。これにより、光軸方向の移動が規制され、押さえリング９が固定枠７に取り付けられる。
【００６９】
絞りリング６は、円筒形状を有し、その外周部に平滑部６Ｂ及びローレット部６Ｃを有する。ローレット部６Ｃは、滑り止めとして機能する。絞りリング６は、固定枠７のフランジ８と押さえリング９の間に嵌まる形状を有する。これにより、絞りリング６を固定枠７に取り付けた後、押さえリング９を固定枠７に取り付けると、その押さえリング９とフランジ８との間に絞りリング６が挟まれて、光軸方向の移動が規制された状態で回転自在に保持される。
【００７０】
上記のように、絞りリング６には、クリック機構が備えられる。クリック機構は、絞りリング６側に備えられる多極磁石１２と、固定枠７側に備えられる板金部品１３と、で構成される。
【００７１】
多極磁石１２は、リング形状を有し、絞りリング６の内周部に一体的に取り付けられる。絞りリング６の内周部には、このリング状の多極磁石１２の取り付け部として、リング状の凹部６Ｄが備えられる。凹部６Ｄは、絞りリング６の前側の端面６Ａを起点として、光軸方向に一定の幅をもって形成される。したがって、凹部６Ｄは、絞りリング６の前側の端面６Ａに開口する。また、凹部６Ｄは、一定の深さで形成される。
【００７２】
図６は、多極磁石の概略構成を示す斜視図である。同図において、符号Ｓは磁石のＳ極を示し、符号Ｎは磁石のＮ極を示す。
【００７３】
多極磁石１２は、円周方向に沿って一定の角度間隔で多極着磁された構成を有する。具体的には、図６に示すように、Ｓ極とＮ極とが円周方向に沿って一定の角度間隔で交互に配置された構成を有する。多極磁石１２において、Ｓ極及びＮ極の各磁極部分は、磁石部の一例である。なお、ここでの一定の角度範囲は、ほぼ一定と認められる範囲が含まれる。
【００７４】
多極磁石１２は、絞りリング６の凹部６Ｄに嵌められて、絞りリング６の内周部に一体的に取り付けられる。絞りリング６に取り付けられた多極磁石１２は、その前側の端面１２Ａが、絞りリング６の前側の端面６Ａとほぼ同一面上に位置する。
【００７５】
板金部品１３は、磁性材料（磁気的に有用な性質をもつ金属材料）を用いた一体成形品で構成され、リング状の本体部１３Ａと、その本体部１３Ａから垂直に延びる板状の突起部１３Ｂと、を有する。本実施の形態では、板金部品１３が、強磁性体である鉄で構成され、板金加工により、本体部１３Ａ及び突起部１３Ｂが一体成形されて、一体成形品として構成される。
【００７６】
板金部品１３は、本体部１３Ａを固定枠７の外周に径嵌合させて、固定枠７に取り付けられる。固定枠７に取り付けられた板金部品１３は、その本体部１３Ａがフランジ８の後側の端面部分に配置され、突起部１３Ｂが外周面上に配置される。
【００７７】
フランジ８の後側の端面８Ａには、板金部品１３の本体部１３Ａが嵌合する凹部８Ｂが備えられる。本体部１３Ａは、凹部８Ｂに嵌合することにより、その後側の端面が、フランジ８の後側の端面８Ａと同一面上に位置する。本体部１３Ａは、第２磁性部の一例である。
【００７８】
また、固定枠７の外周には、板金部品１３の突起部１３Ｂが嵌合する凹部７Ａが備えられる。ここで、突起部１３Ｂは、固定枠７の外周に沿った円弧状の板形状を有し、凹部７Ａに嵌合することにより、その外周面が固定枠７の外周面と同一面上に位置する。すなわち、突起部１３Ｂの外周面は、固定枠７の外周面と同じ曲率を有する。
【００７９】
突起部１３Ｂは、円周方向において、多極磁石１２の１つの磁極（Ｓ極又はＮ極）とほぼ同じ幅を有する。また、突起部１３Ｂは、光軸方向において、多極磁石１２の光軸方向の長さとほぼ同じ長さを有する。すなわち、突起部１３Ｂは、多極磁石１２の１つの磁極部分の内周面の形状に対応した形状を有する。突起部１３Ｂは、第１磁性部の一例である。
【００８０】
図７は、図４の一部を拡大した図であり、多極磁石１２と板金部品１３の取り付け関係を示している。
【００８１】
同図に示すように、絞りリング６が固定枠７に取り付けられると、板金部品１３の突起部１３Ｂが、多極磁石１２の内周面と、一定の隙間（クリアランス）Δｄをもって、対向して配置される。この結果、突起部１３Ｂと多極磁石１２との間に磁気吸引力が作用する。この力は、各磁極における周方向の中心位置で最大となり、中心から離れるに従って弱くなる。すなわち、Ｓ極とＮ極との境界で最小となる。この結果、絞りリング６を回転させると、突起部１３Ｂと多極磁石１２との間に作用する磁気吸引力が周期的に変化し、一定の角度間隔でクリック感が発生する。また、一定の角度間隔でクリックストップする。すなわち、各磁極の周方向の中心位置でクリックストップする。
【００８２】
図７に示すように、絞りリング６が固定枠７に取り付けられると、板金部品１３の本体部１３Ａが、多極磁石１２の前側の端面１２Ａと対向して配置される。絞りリング６は、この多極磁石１２と本体部１３Ａとの間に作用する磁気吸引力によって、フランジ８側に引き寄せられ、その前側の端面６Ａがフランジ８の後側の端面８Ａ（板金部品１３の本体部１３Ａを含む）に押圧当接される。この力は、常時作用することから、絞りリング６は、常にフランジ８にガタ寄せされる。この結果、ガタが除去され、常に安定した回転操作を実現できる。
【００８３】
ここで、多極磁石１２と本体部１３Ａとの間に作用する磁気吸引力は、多極磁石１２と突起部１３Ｂとの間に作用する磁気吸引力よりも弱い力に設定される。具体的には、ガタを取り除く程度に力に設定される。これにより、絞りリング６とフランジ８との間に作用する摩擦を低減でき、よりスムーズな回転操作を実現できる。
【００８４】
なお、多極磁石１２と突起部１３Ｂとの間に作用する磁気吸引力は、多極磁石１２と突起部１３Ｂとの間に形成される隙間Δｄによって調整される。この隙間Δｄを広くすることにより、多極磁石１２と板金部品１３の本体部１３Ａとの間に作用する磁気吸引力は弱くなる。一方、この隙間Δｄを狭くすることにより、多極磁石１２と板金部品１３の本体部１３Ａとの間に作用する磁気吸引力は強くなる。適度なクリック感を発生できる隙間Δｄに設定される。
【００８５】
絞りリング６には、１クリックごとの回転を検出する回転検出部が備えられる。回転検出部は、絞りリング６に備えられた多極磁石１２と、固定枠７に備えられたＭＲセンサ（Magneto Resistive Sensor；磁気抵抗効果素子）１４と、で構成される。
【００８６】
ＭＲセンサ１４は、絞りリング６の回転による磁束の変化を検出し、磁束が閾値を超えると、信号（パルス信号）を出力する。固定枠７には、このＭＲセンサ１４が取り付けられるセンサ取り付け部７Ｂが備えられる。センサ取り付け部７Ｂは、図４に示すように、ＭＲセンサ１４を収容可能な凹部として固定枠７の外周面上に備えられる。このセンサ取り付け部７Ｂが備えられる位置は、絞りリング６が固定枠７に取り付けられた場合に、多極磁石１２が配置される位置である。
【００８７】
なお、円周方向において、ＭＲセンサ１４を取り付ける位置は、絞りリング６がクリックストップした場合に、多極磁石１２のＳ極とＮ極の境界となる位置とされる。これにより、絞りリング６がクリックストップするたびＭＲセンサ１４からパルス信号が出力される（各磁極の中心が、突起部１３Ｂの中心を通過するたびにパルス信号が出力される。）。
【００８８】
回転検出部は、ＭＲセンサ１４から出力されるパルス信号を検出することにより、絞りリング６の１クリックごとの回転を検出する。
【００８９】
［作用］
鏡胴本体２に組み付けられた絞りリング６には、その内周部に備えられたリング状の多極磁石１２と、固定枠７に備えられた板金部品１３との間に磁気吸引力が作用する。この磁気吸引力は、板金部品１３の本体部１３Ａと多極磁石１２との間に作用する磁気吸引力と、板金部品１３の突起部１３Ｂと多極磁石１２との間に作用する磁気吸引力とに分けられる。
【００９０】
板金部品１３の本体部１３Ａと多極磁石１２との間に作用する磁気吸引力は、常時、絞りリング６をフランジ８に向けて引き寄せる機能を提供する。この結果、常に絞りリング６の前側の端面６Ａが、フランジ８の後側の端面８Ａに当接される。すなわち、ガタ寄せされる。これにより、絞りリング６の取り付けに伴うガタが除去され、常に安定した回転操作が実現される。
【００９１】
一方、板金部品１３の突起部１３Ｂと多極磁石１２と間に作用する磁気吸引力は、絞りリング６を一定の角度間隔でクリックストップさせる機能を提供する。
【００９２】
図８及び図９は、磁気吸引力によるクリックストップの機能の説明図である。同図は、磁気吸引力によってクリックストップされる絞りリング６と固定枠７との関係を模式的に示した図である。
【００９３】
図８は、多極着磁された多極磁石１２の１つの磁極（図８ではＳ極）の中心が、突起部１３Ｂの中心と一致した場合を示している。絞りリング６は、各磁極の中心が、突起部１３Ｂの中心と一致する地点で磁気的に安定する。すなわち、突起部１３Ｂと多極磁石１２との間に作用する磁気吸引力の釣り合いがとれる。図９は、磁極の中心（磁気的安定点）が、突起部１３Ｂの中心からずれた場合を示している。この場合、絞りリング６には、磁気的に安定する状態に戻ろうとする力Ｆが作用する。絞りリング６を回転させると、一定の角度間隔で各磁極の中心（磁気的安定点）が、突起部１３Ｂを通過する。各磁極の中心（磁気的安定点）が、突起部１３Ｂを通過する前後において、磁気的に安定する状態に戻ろうとする力Ｆが絞りリング６に作用する。この力がクリック感として操作者に伝わる。また、絞りリング６を回転させる力を開放すると、絞りリング６は、磁気的に安定する点で自動的に停止する。すなわち、クリックストップする。
【００９４】
このように、本実施の形態のレンズ鏡胴１によれば、絞りリング６に備えられた多極磁石１２と、固定枠７に備えられた板金部品１３との作用で絞りリング６の回転にクリック感を発生させることができる。同時に、多極磁石１２と板金部品１３の本体部１３Ａとの間に作用する磁気吸引力によって、絞りリング６をガタ寄せでき、安定した操作感を与えることができる。また、ガタ寄せできることから、各部品に要求される加工精度を緩和できる。また、クリック感の調整についても、隙間の管理のみで安定させることができる。また、その隙間の管理についても、径嵌合の管理は容易であるため、製品間でバラツキのない安定した生産が可能になる。
【００９５】
［第２の実施の形態］
［構成］
図１０は、本発明が適用されたレンズ鏡胴の第２の実施形態の外観構成を示す平面図である。
【００９６】
本実施の形態のレンズ鏡胴１は、当該レンズ鏡胴１で設定可能な絞り値が絞りリング６の外周面（平滑部６Ｂ）にプリント（又は刻印）される。レンズ鏡胴１は、この絞りリング６にプリントされた絞り値を鏡胴本体２の外周面（固定枠７のフランジ８の外周面）にプリント（又は刻印）された指標Ｉに合わせることにより、絞り値が設定される。
【００９７】
図１０は、設定可能な絞り値が、Ｆ２．８、Ｆ４、Ｆ５．６、Ｆ８、Ｆ１１、Ｆ１６、Ｆ２２の場合を示している。この場合、絞りリング６の外周面には、「２．８」、「４」、「５．６」、「８」、「１１」、「１６」、「２２」の各数値がプリントされる。なお、「Ａ」は、オート（Auto）である。絞り値を自動設定するモード（オート撮影モード、シャッター速度モード等）では、指標Ｉに「Ａ」を合わせる。オート（Ａ）は、Ｆ２２（２２）の次の位置に設定される。
【００９８】
絞りリング６は、オート（Ａ）を含む各絞り値の位置でクリックストップする。クリックストップする間隔は一定の角度間隔に設定される。
【００９９】
また、絞りリング６は、可動範囲が規制され、一定の角度範囲で回転操作可能に設けられる。具体的には、指標Ｉが「２．８」（Ｆ２．８）に合う位置から指標Ｉが「Ａ」（オート）に合う位置までの間で回転操作可能に設けられる。絞りリング６の可動範囲の規制は、可動範囲規制部で実現される。
【０１００】
図１１は、絞りリングの取り付け部の概略構成を示す分解斜視図である。図１２は、絞りリングの取り付け部の側面断面図である。図１３は、図１２の１３−１３断面図である。
【０１０１】
可動範囲規制部は、固定枠７側に備えられる可動範囲規制溝７Ｃと、絞りリング６側に備えられる可動範囲規制爪６Ｅと、で構成される。
【０１０２】
可動範囲規制溝７Ｃは、円周方向に沿って延びる溝として、固定枠７の外周面に備えられる。可動範囲規制溝７Ｃは、所定の角度範囲で備えられる。可動範囲規制溝７Ｃは、固定枠７の外周面の３箇所に備えられたロック用溝部１１の１つに連通される。３箇所に備えられたロック用溝部１１のうちの１つの入口部１１Ａが、可動範囲規制溝７Ｃまで延び、可動範囲規制溝７Ｃに連通される。
【０１０３】
可動範囲規制爪６Ｅは、可動範囲規制溝７Ｃに嵌合可能な凸部として、絞りリング６の内周面に備えられる。より具体的には、可動範囲規制溝７Ｃに嵌合する高さを有し、かつ、その厚さ（光軸方向の幅）が、可動範囲規制溝７Ｃの幅（光軸方向の幅）とほぼ同じ寸法を有する。また、その横幅（円周方向の幅）が、ロック用溝部１１の入口部１１Ａの幅（円周方向の幅）とほぼ同じ寸法を有する。
【０１０４】
絞りリング６を固定枠７に取り付ける場合は、まず、絞りリング６に備えられた可動範囲規制爪６Ｅの位置と固定枠７に備えられたロック用溝部１１（可動範囲規制溝７Ｃに連通されたロック用溝部１１）の入口部１１Ａの位置を合わせる。その後、絞りリング６を光軸方向に沿ってスライドさせ、可動範囲規制爪６Ｅを可動範囲規制溝７Ｃに嵌合させる。可動範囲規制爪６Ｅを可動範囲規制溝７Ｃに嵌合させることにより、絞りリング６の可動範囲が規制され、一定の角度範囲で回転操作可能に支持される。すなわち、可動範囲規制爪６Ｅが、可動範囲規制溝７Ｃの端部に当接するまでの範囲内で回転操作可能に支持される。絞りリング６は、可動範囲規制溝７Ｃの一方側の端部に可動範囲規制爪６Ｅが当接すると、指標Ｉの位置に「２．８」（Ｆ２．８）が位置する。また、可動範囲規制溝７Ｃの他方側の端部に可動範囲規制爪６Ｅが当接すると、指標Ｉの位置に「Ａ」（オート）が位置する。
【０１０５】
本実施の形態のレンズ鏡胴１において、多極磁石１２は、絞りリング６の可動範囲に対応した範囲に備えられる。
【０１０６】
図１４は、図１２の１４−１４断面図である。同図に示すように、絞りリング６には、円弧状の多極磁石１２が取り付けられる。絞りリング６の内周部には、この多極磁石１２の取り付け部として、円弧状の凹部６Ｄが備えられる。
【０１０７】
多極磁石１２は、絞り値の設定間隔と同じ角度間隔で着磁される。たとえば、絞り値の設定間隔が１８°の場合、１８°間隔でＳ極及びＮ極が交互に切り替わるように着磁される。
【０１０８】
板金部品１３の突起部１３Ｂは、多極磁石１２の１つの磁極（Ｓ極又はＮ極）に対応した構成を有する。すなわち、円周方向において、１つの磁極と同じ幅を有し、光軸方向において、１つの磁極と同じ長さを有する。
【０１０９】
［作用］
レンズ鏡胴１は、可動範囲規制部（可動範囲規制溝７Ｃ及び可動範囲規制爪６Ｅ）によって、絞りリング６の可動範囲が一定の角度範囲に規制される。絞りリング６は、可動範囲内において、一定の角度おきにクリックストップ可能に保持される。
【０１１０】
図１５は、クリックストップの機能の説明図である。同図は、磁気吸引力によってクリックストップされる絞りリング６と固定枠７との関係を模式的に示した図である。なお、同図は、Ｆ８の位置でクリックストップした状態を示している。
【０１１１】
絞りリング６は、可動範囲Ｒ内で回転操作される。絞りリング６は、各磁極の中心が、板金部品１３の突起部１３Ｂの中心と一致する位置で磁気的に安定する。この位置からずれると、磁気的に安定する状態に戻ろうとする力が絞りリング６に作用する。この力がクリック感として操作者に伝わる。また、絞りリング６を回転させる力を開放すると、絞りリング６は、磁気的に安定する点で自動的に停止する。すなわち、クリックストップする。
【０１１２】
また、本実施の形態のレンズ鏡胴１においても、板金部品１３の本体部１３Ａと多極磁石１２との間に磁気吸引力が作用する。このため、本実施の形態のレンズ鏡胴１においても、絞りリング６が、フランジ８に向けて引き寄せられる。すなわち、ガタ寄せされる。これにより、絞りリング６の取り付けに伴うガタが除去され、常に安定した回転操作が実現される。
【０１１３】
［変形例］
［位置に応じて発生させるクリック感を変える場合］
上記実施の形態では、どの位置においても同じクリック感が発生する構成とされているが、位置に応じて発生させるクリック感を変えることもできる。これにより、指に伝わるクリック感から絞りリング６の設定状態を把握でき、操作性を向上できる。
【０１１４】
たとえば、絞り値を１段ごと切り替える場合に選択できる絞り値を「主設定値」、１／３段ずつ切り替える場合にのみ選択できる絞り値を「副設定値」とする。この場合、絞り値を１／３段ずつ切り替える設定とした場合に選択可能な絞り値から主設定値を除いたものが副設定値となる。たとえば、Ｆ２．８からＦ２２の範囲では、Ｆ２．８、Ｆ４、Ｆ５．６、Ｆ８、Ｆ１１、Ｆ１６及びＦ２２が主設定値となり、Ｆ３．２、Ｆ３．５、Ｆ４．５、Ｆ５、Ｆ６．３、Ｆ７．１、Ｆ９、Ｆ１０、Ｆ１３、Ｆ１４、Ｆ１８及びＦ２０が副設定値となる。
【０１１５】
このように主設定値及び副設定値を設定した場合において、主設定値の位置で発生させるクリック感と、副設定値の位置で発生させるクリック感を変えることができる。
【０１１６】
各位置で発生させるクリック感の強さは、各位置で発生させる磁気吸引力の大きさを調整することによって調整できる。たとえば、主設定値の位置で発生させるクリック感を副設定値の位置で発生させるクリック感よりも強くする場合は、副設定値の位置で発生する磁気吸引力よりも主設定値の位置で発生する磁気吸引力の方が強くなるように設定する。
【０１１７】
各位置で発生せる磁気吸引力は、突起部１３Ｂとの間に形成される隙間Δｄの大きさを変えることで調整できる。たとえば、主設定値の位置で発生させるクリック感を副設定値の位置で発生させるクリック感よりも強くする場合は、主設定値の部分に形成される隙間を副設定値の部分に形成される隙間よりも狭くする。これにより、主設定値の部分において、強いクリック感が発生する。
【０１１８】
図１６及び図１７は、隙間を調整してクリック感を変える場合の多極磁石と突起部との関係を模式的に示した図である。同図は、主設定値の位置で強いクリック感を発生させる場合の例を示している。なお、図１６は、主設定値の位置でクリックストップさせた状態を示しており、図１７は、副設定値の位置でクリックストップさせた状態を示している。
【０１１９】
図１６及び図１７に示すように、主設定値の位置で強いクリック感を発生させる場合、主設定値（Ｆ２．８、Ｆ４、Ｆ５．６、Ｆ８、Ｆ１１、Ｆ１６及びＦ２２）の部分の高さ（絞りリング６の反径方向の厚さ）を、副設定値（Ｆ３．２、Ｆ３．５、Ｆ４．５、Ｆ５、Ｆ６．３、Ｆ７．１、Ｆ９、Ｆ１０、Ｆ１３、Ｆ１４、Ｆ１８及びＦ２０）の部分の高さよりも高くする。これにより、主設定部の部分に形成される隙間が、副設定値の部分に形成される隙間よりも狭くなり、主設定値の位置において、強い磁気吸引力が発生する。この結果、主設定値と副設定値との間で異なるクリック感が発生する。
【０１２０】
なお、本例において、主設定値の位置に配置される磁極の部分は第１の磁石部の一例であり、副設定値の位置に配置される磁極の部分は第２の磁石部の一例である。また、主設定値の配置間隔は、第１の角度間隔の一例であり、副設定値の配置間隔は、第２の角度間隔の一例である。副設定値は、隣り合う主設定値の間に一定の角度間隔（第２の角度間隔）で配置される。
【０１２１】
上記の例では、隙間を調整することで、各位置で発生させる磁気吸引力を調整する構成としているが、各位置で発生させる磁気吸引力を調整する方法は、これに限定されるものではない。たとえば、突起部１３Ｂと対向する面の面積を変えることによって調整することもできる。この場合、主設定値の部分と副設定値の部分において、突起部１３Ｂと重なり合う領域の面積が変わる。この面積が変わることによって、発生する磁気吸引力が変わる。
【０１２２】
図１８は、突起部に重なり合う領域の面積を変えて磁気吸引力を調整する場合の多極磁石の構成の一例を示す図である。同図は、多極磁石１２を平面的に展開した図を示している。
【０１２３】
同図に示すように、主設定値で発生するクリック感を副設定値で発生するクリック感よりも強くする場合、突起部１３Ｂと対向する面における主設定値（Ｆ２．８、Ｆ４、Ｆ５．６、Ｆ８、Ｆ１１、Ｆ１６及びＦ２２）の部分の面積を、副設定値（Ｆ３．２、Ｆ３．５、Ｆ４．５、Ｆ５、Ｆ６．３、Ｆ７．１、Ｆ９、Ｆ１０、Ｆ１３、Ｆ１４、Ｆ１８及びＦ２０）の部分の面積よりも大きくする。なお、同図に示す例では、光軸方向の長さを調整することで主設定値の部分の面積と副設定値の部分の面積を変えている。
【０１２４】
このように、主設定値の部分と副設定値の部分の面積を変えることによっても、クリック感を変えることもできる。
【０１２５】
絞りリング６がエンドレスに回転操作される場合においても、一定の角度間隔でクリック感を変えるようにしてもよい。たとえば、１クリックおきに強いクリック感が発生するように構成したり、２クリックおきに強いクリック感が発生するように構成したりしてもよい。
【０１２６】
［磁石部の変形例］
上記実施の形態では、多極磁石を用いて、絞りリング６に複数の磁石部を備える構成としているが、絞りリング６に備える磁石部の構成は、これに限定されるものではない。
【０１２７】
図１９は、絞りリングに備える磁石部の他の一例を模式的に示す図である。
【０１２８】
同図に示すように、複数の磁石２０を円周方向に一定の角度間隔で配置することもできる。この場合、各磁石２０が、磁石部を構成する。
【０１２９】
また、絞りリングが樹脂成形品で構成される場合、磁石部は絞りリングに一体成形することもできる。たとえば、磁石部が、フェライト磁石、サマリウムコバルト磁石、ネオジム磁石等で構成される場合は、インサート成形により、絞りリングに一体成形することができる。また、たとえば、磁石の部分をボンド磁石（プラスチック磁石ともいう）で二色成形により、磁石部を絞りリングに一体成形することもできる。たとえば、ボンド磁石を用いて絞りリングの内周部分を二色成形し、多極着磁して磁石部を一体成形することができる。
【０１３０】
この他、たとえば、多極着磁されたシート状のラバー磁石を絞りリングの内周部に貼り付けて、絞りリングに磁石部を設ける構成とすることもできる。
【０１３１】
［第１磁性部及び第２磁性部の変形例］
上記実施の形態では、板金部品１３として、第１磁性部及び第２磁性部を一体成形品で構成しているが、第１磁性部及び第２磁性部は、別部品で構成することもできる。第１磁性部及び第２磁性部を一体成形品で構成することにより、固定枠への組み付けを容易にできる。
【０１３２】
なお、固定枠が樹脂成形品で構成される場合、固定枠は、第１磁性部及び第２磁性部がインサート成形された一体成形品として構成することもできる。
【０１３３】
また、第１磁性部については、磁石で構成することもできる。
【０１３４】
図２０は、第１磁性部を磁石で構成する場合の一例を模式的に示す図である。
【０１３５】
同図に示すように、固定枠７の外周面に磁石２２を配置する。この場合、磁石２２のＮ極が多極磁石１２のＳ極と向き合う位置（磁石２２のＳ極が多極磁石１２のＮ極と向き合う位置）で磁気的に安定し、絞りリング６がクリックストップする。
【０１３６】
なお、固定枠が樹脂成形品で構成される場合、磁石２２の部分をボンド磁石で二色成形し、固定枠に一体成形することもできる。
【０１３７】
［端面当接部の変形例］
上記実施の形態では、フランジ８として、端面当接部が固定枠７に一体成形された構成としているが、端面当接部は、別部品で構成することもできる。たとえば、固定枠に別途取り付けられたリング状の部材を端面当接部として使用することもできる。
【０１３８】
また、絞りリング６を回転させた際の摺動抵抗を低減させるため、フランジ８には、その後側の端面８Ａにボールを組み込むこともできる。ボールは、円周方向に沿って一定の間隔で配置することが好ましい。
【０１３９】
［回転検出部の変形例］
上記実施の形態では、絞りリング６に備えられた多極磁石１２による磁束の変化をＭＲセンサ１４で検出することで、絞りリング６の１クリックごとの回転を検出する構成としているが、絞りリング６の回転を検出する手段は、これに限定されるものではない。この他、符号板と接点ブラシで構成される公知のポジションセンサを用いて絞りリング６の回転及び回転位置を検出する構成とすることもできる。
【０１４０】
なお、ＭＲセンサを用いて絞りリングの１クリックごとの回転を検出する場合において、その回転方向も検出する場合は、２つのＭＲセンサが用いられる。
【０１４１】
［磁石部と磁性部との関係の変形例］
上記実施の形態では、固定枠側に磁性部（第１磁性部及び第２磁性部）を備え、絞りリング側に磁石部を備える構成としているが、固定枠側に磁石部（第１磁石部及び第２磁石部）を備え、絞りリング側に磁性部を備える構成とすることもできる。
【０１４２】
図２１は、固定枠側に磁石部、絞りリング側に磁性部を備える場合の絞りリングの取り付け部の構成の一例を示す分解斜視図である。
【０１４３】
同図に示すように、絞りリング６には、磁性部として、板金部品２３が備えられる。板金部品２３は、絞りリング６の内周部に備えられる。
【０１４４】
一方、固定枠７には、磁石部として、円周方向に一定の角度間隔で多極着磁された多極磁石２４が備えられる。多極磁石２４は、円筒部２４Ａとフランジ部２４Ｂとで構成される。円筒部２４Ａは、固定枠７の外周部に備えられる。円筒部２４Ａの各磁極の部分は、第１磁石部の一例である。フランジ部２４Ｂは、固定枠７に一体的に備えられたフランジ８の後側の端面８Ａに備えられる。フランジ部２４Ｂは、第２磁石部の一例である。
【０１４５】
絞りリング６を固定枠７に組み付けると、絞りリング６に備えられた板金部品２３の内周部が、固定枠７に備えられた多極磁石２４の円筒部２４Ａに対向して配置される。この結果、絞りリング６を回転させると、多極磁石２４の円筒部２４Ａと板金部品２３との間に作用する磁気吸引力によって、絞りリング６の回転にクリック感が発生する。
【０１４６】
また、絞りリング６を固定枠７に組み付けると、板金部品２３の前側の端面が、多極磁石２４のフランジ部２４Ｂに対向して配置される。この結果、多極磁石２４のフランジ部２４Ｂと板金部品２３との間に作用する磁気吸引力によって、絞りリング６を固定枠７のフランジ８に向けて引き寄せる力が発生する。これにより、絞りリング６が、ガタ寄せされる。
【０１４７】
このように、固定枠側に磁石部（第１磁石部及び第２磁石部）、絞りリング側に磁性部（板金部品２３）を備えた構成とした場合も、絞りリング６を一定の角度間隔でクリックストップさせることができ、かつ、ガタ寄せできる。
【０１４８】
なお、本例では、第１磁石部（多極磁石２４の円筒部２４Ａ）及び第２磁石部（多極磁石２４のフランジ部２４Ｂ）を一体成形品として構成しているが、第１磁石部及び第２磁石部は別部品で構成することもできる。
【０１４９】
また、上記の例では、磁性部を強磁性体の板金部品２３で構成しているが、磁性部を磁石で構成することもできる。
【０１５０】
また、本例のように、固定枠側に磁石部、絞りリング側に磁性部を備える構成とする場合においても、第２磁石部（多極磁石２４のフランジ部２４Ｂ）と磁性部（板金部品２３）との間に作用する磁気吸引力が、第１磁石部（多極磁石２４の円筒部２４Ａ）と磁性部（板金部品２３）との間に作用する磁気吸引力よりも弱くなるように設定することが好ましい。これにより、絞りリング６とフランジ８との間に作用する摩擦を低減でき、よりスムーズな回転操作を実現できる。
【０１５１】
また、本例のように、固定枠側に磁石部、絞りリング側に磁性部を備える構成とする場合においても、位置に応じてクリック感に差をもたせた構成とすることができる。すなわち、主設定値の位置と副設定値の位置でクリック感に差をもたせることができる。この場合、主設定値の位置で発生する磁気吸引力と副設定値の位置で発生する磁気吸引力が変わるように構成する。たとえば、主設定値の位置で発生させるクリック感を、副設定値の位置で発生させるクリック感よりも強くする場合は、主設定値の位置で発生する磁気吸引力を、副設定値の位置で発生する磁気吸引力よりも強くする。多極磁石２４の円筒部２４Ａ（第１磁石部）と板金部品２３（磁性部）との間に作用する磁気吸引力の調整は、板金部品２３との間に形成される隙間の大きさ、及び／又は、板金部品２３と重なる領域の面積の大きさを調整することによって行われる。なお、この場合、主設定値の位置に配置される磁極部分が第１の第１磁石部を構成し、副設定値の位置に配置される磁極部分が第２の第１磁石部を構成する。
【０１５２】
また、本例のように、固定枠側に磁石部、絞りリング側に磁性部を備える構成とする場合においても、可動範囲規制部によって、絞りリング６の可動範囲を規制できる。この場合、絞りリング６の可動範囲に対応した角度範囲に磁石部が備えられる。
【０１５３】
更に、固定枠７が樹脂成形品で構成される場合、固定枠側に備えられる磁石部（多極磁石２４）は、インサート成形によって、固定枠に一体成形することもできる。また、ボンド磁石を用いて、二色成形によって、固定枠に一体成形することもできる。同様に、絞りリング６が樹脂成形品で構成される場合、磁性部（板金部品２３）については、インサート成形によって、絞りリング６に一体成形することもできる。
【０１５４】
［操作リングの変形例］
上記実施の形態では、本発明を絞りリングに適用した場合を例に説明したが、本発明の適用は、これに限定されるものではない。クリック操作される操作リング全般に適用できる。
【０１５５】
［レンズ鏡胴の変形例］
上記実施の形態では、本発明を交換レンズのレンズ鏡胴に適用した場合を例に説明したが、本発明の適用は、これに限定されるものではない。レンズ一体式カメラのレンズ鏡胴にも適用できる。また、撮影装置に限らず、顕微鏡、望遠鏡、双眼鏡等の光学機器のレンズ鏡胴にも適用できる。
【符号の説明】
【０１５６】
１  レンズ鏡胴
２  鏡胴本体
３  マウント
４  フォーカスリング
５  ズームリング
６  絞りリング
６Ａ  絞りリングの前側の端面
６Ｂ  絞りリングの外周の平滑部
６Ｃ  絞りリングの外周のローレット部
６Ｄ  絞りリングの内周の凹部
６Ｅ  可動範囲規制爪
７  固定枠
７Ａ  固定枠の外周の凹部
７Ｂ  センサ取り付け部
７Ｃ  可動範囲規制溝
８  フランジ
８Ａ  フランジの後側の端面
８Ｂ  フランジの後側の端面の凹部
９  押さえリング
１０  ロック用爪部
１１  ロック用溝部
１１Ａ  ロック用溝部の入口部
１１Ｂ  ロック用溝部のロック部
１２  多極磁石
１２Ａ  多極磁石の前側の端面
１３  板金部品
１３Ａ  板金部品の本体部
１３Ｂ  板金部品の突起部
１４  ＭＲセンサ
２０  磁石
２２  磁石
２３  板金部品
２４  多極磁石
２４Ａ  多極磁石の円筒部
２４Ｂ  多極磁石のフランジ部
Ｆ  力
Ｉ  指標
Ｌ  光軸
Ｒ  可動範囲
Δｄ  隙間
【図１】
2020085410.tif 000003
【図２】
2020085410.tif 000004
【図３】
2020085410.tif 000005
【図４】
2020085410.tif 000006
【図５】
2020085410.tif 000007
【図６】
2020085410.tif 000008
【図７】
2020085410.tif 000009
【図８】
2020085410.tif 000010
【図９】
2020085410.tif 000011
【図１０】
2020085410.tif 000012
【図１１】
2020085410.tif 000013
【図１２】
2020085410.tif 000014
【図１３】
2020085410.tif 000015
【図１４】
2020085410.tif 000016
【図１５】
2020085410.tif 000017
【図１６】
2020085410.tif 000018
【図１７】
2020085410.tif 000019
【図１８】
2020085410.tif 000020
【図１９】
2020085410.tif 000021
【図２０】
2020085410.tif 000022
【図２１】
2020085410.tif 000023
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
固定枠と、
前記固定枠の外周に径嵌合される操作リングと、
前記固定枠に備えられ、前記操作リングの端面が当接される端面当接部と、
円周方向に沿って一定の角度間隔で前記操作リングに備えられる少なくとも１つの磁石部と、
前記固定枠の外周面上に備えられ、前記磁石部との間に作用する磁気吸引力によって、前記操作リングをクリックストップさせる第１磁性部と、
前記端面当接部に備えられ、前記磁石部との間に作用する磁気吸引力によって、前記操作リングを前記端面当接部に引き寄せて当接させる第２磁性部と、
を備えたレンズ鏡胴。
【請求項２】
前記第２磁性部と前記磁石部との間に作用する磁気吸引力が、前記第１磁性部と前記磁石部との間に作用する磁気吸引力よりも弱く設定された、
請求項１に記載のレンズ鏡胴。
【請求項３】
前記操作リングは、前記磁石部がインサート成形された樹脂の一体成形品で構成される、
請求項１又は２に記載のレンズ鏡胴。
【請求項４】
前記操作リングは、前記磁石部がボンド磁石で二色成形された樹脂の一体成形品で構成される、
請求項１又は２に記載のレンズ鏡胴。
【請求項５】
前記固定枠及び前記端面当接部は、前記第１磁性部及び前記第２磁性部がインサート成形された樹脂の一体成形品で構成される、
請求項１から４のいずれか１項に記載のレンズ鏡胴。
【請求項６】
前記第１磁性部及び前記第２磁性部が、磁性材料による一体成形品で構成される、
請求項１から５のいずれか１項に記載のレンズ鏡胴。
【請求項７】
前記第２磁性部が、前記固定枠の外周に径嵌合されるリング形状又は円弧形状を有し、
前記第１磁性部が、前記第２磁性部から前記固定枠の外周面に沿って光軸方向に延びる板形状を有する、
請求項６に記載のレンズ鏡胴。
【請求項８】
前記第１磁性部及び前記第２磁性部が強磁性体で構成される、
請求項１から７のいずれか１項に記載のレンズ鏡胴。
【請求項９】
前記磁石部が、円周方向に多極着磁されたリング状又は円弧状の多極磁石で構成される、
請求項１から８のいずれか１項に記載のレンズ鏡胴。
【請求項１０】
前記操作リングの回転による磁束の変化を検出して、前記操作リングの１クリックごとの回転を検出する回転検出部を更に備えた、
請求項１から９のいずれか１項に記載のレンズ鏡胴。
【請求項１１】
前記磁石部は、
円周方向に沿って第１の角度間隔で備えられる少なくとも１つの第１の磁石部と、
隣り合う前記第１の磁石部の間に第２の角度間隔で備えられる少なくとも１つの第２の磁石部と、
で構成され、
前記第１の磁石部と前記第１磁性部との間に作用する磁気吸引力が、前記第２の磁石部と前記第１磁性部との間に作用する磁気吸引力よりも強く設定された、
請求項１から１０のいずれか１項に記載のレンズ鏡胴。
【請求項１２】
前記第１の磁石部と前記第１磁性部との間に備えられる隙間が、前記第２の磁石部と前記第１磁性部との間に備えられる隙間よりも狭く設定されることにより、前記第１の磁石部と前記第１磁性部との間に作用する磁気吸引力が、前記第２の磁石部と前記第１磁性部との間に作用する磁気吸引力よりも強く設定される、
請求項１１に記載のレンズ鏡胴。
【請求項１３】
前記第１の磁石部と前記第１磁性部とが重なり合う領域の面積が、前記第２の磁石部と前記第１磁性部とが重なり合う領域の面積よりも広く設定されることにより、前記第１の磁石部と前記第１磁性部との間に作用する磁気吸引力が、前記第２の磁石部と前記第１磁性部との間に作用する磁気吸引力よりも強く設定される、
請求項１１に記載のレンズ鏡胴。
【請求項１４】
前記操作リングの可動範囲を規制する可動範囲規制部を更に備え、
前記磁石部は、前記操作リングの可動範囲に対応した角度範囲に備えられる、
請求項１から１３のいずれか１項に記載のレンズ鏡胴。
【請求項１５】
固定枠と、
前記固定枠の外周に径嵌合される操作リングと、
前記固定枠に備えられ、前記操作リングの端面が当接される端面当接部と、
前記操作リングに備えられる磁性部と、
前記固定枠の外周面上に円周方向に沿って一定の角度間隔で備えられ、前記磁性部との間に作用する磁気吸引力によって、前記操作リングをクリックストップさせる第１磁石部と、
円周方向に沿って一定の角度間隔で前記端面当接部に備えられ、前記磁性部との間に作用する磁気吸引力によって、前記操作リングを前記端面当接部に引き寄せて当接させる第２磁石部と、
を備えたレンズ鏡胴。
【請求項１６】
前記第２磁石部と前記磁性部との間に作用する磁気吸引力が、前記第１磁石部と前記磁性部との間に作用する磁気吸引力よりも弱く設定された、
請求項１５に記載のレンズ鏡胴。
【請求項１７】
前記固定枠及び前記端面当接部は、前記第１磁石部及び前記第２磁石部がインサート成形された樹脂の一体成形品で構成される、
請求項１５又は１６に記載のレンズ鏡胴。
【請求項１８】
前記固定枠及び前記端面当接部は、前記第１磁石部及び前記第２磁石部がボンド磁石で二色成形された樹脂の一体成形品で構成される、
請求項１５又は１６に記載のレンズ鏡胴。
【請求項１９】
前記操作リングは、前記磁性部がインサート成形された樹脂の一体成形品で構成される、
請求項１５から１８のいずれか１項に記載のレンズ鏡胴。
【請求項２０】
前記磁性部が強磁性体で構成される、
請求項１５から１９のいずれか１項に記載のレンズ鏡胴。
【請求項２１】
前記第１磁石部は、
円周方向に沿って第１の角度間隔で備えられる少なくとも１つの第１の第１磁石部と、
隣り合う前記第１磁石部の間に第２の角度間隔で備えられる少なくとも１つの第２の第１磁石部と、
で構成され、
前記第１の第１磁石部と前記磁性部との間に作用する磁気吸引力が、前記第２の第１磁石部と前記磁性部との間に作用する磁気吸引力よりも強く設定された、
請求項１５から２０のいずれか１項に記載のレンズ鏡胴。
【請求項２２】
前記第１の第１磁石部と前記磁性部との間に備えられる隙間が、前記第２の第１磁石部と前記磁性部との間に備えられる隙間よりも狭く設定されることにより、前記第１の第１磁石部と前記磁性部との間に作用する磁気吸引力が、前記第２の第１磁石部と前記磁性部との間に作用する磁気吸引力よりも強く設定される、
請求項２１に記載のレンズ鏡胴。
【請求項２３】
前記第１の第１磁石部と前記磁性部とが重なり合う領域の面積が、前記第２の第１磁石部と前記磁性部とが重なり合う領域の面積よりも広く設定されることにより、前記第１の第１磁石部と前記磁性部との間に作用する磁気吸引力が、前記第２の第１磁石部と前記磁性部との間に作用する磁気吸引力よりも強く設定される、
請求項２１に記載のレンズ鏡胴。
【請求項２４】
前記操作リングの可動範囲を規制する可動範囲規制部を更に備え、
前記第１磁石部及び前記第２磁石部は、前記操作リングの可動範囲に対応した角度範囲に備えられる、
請求項１５から２３のいずれか１項に記載のレンズ鏡胴。
【手続補正書】
【提出日】令和3年5月21日(2021.5.21)
【手続補正１】
【補正対象書類名】特許請求の範囲
【補正対象項目名】請求項２１
【補正方法】変更
【補正の内容】
【請求項２１】
前記第１磁石部は、
円周方向に沿って第１の角度間隔で備えられる少なくとも１つの第１の第１磁石部と、
隣り合う前記第１の第１磁石部の間に第２の角度間隔で備えられる少なくとも１つの第２の第１磁石部と、
で構成され、
前記第１の第１磁石部と前記磁性部との間に作用する磁気吸引力が、前記第２の第１磁石部と前記磁性部との間に作用する磁気吸引力よりも強く設定された、
請求項１５から２０のいずれか１項に記載のレンズ鏡胴
【手続補正２】
【補正対象書類名】明細書
【補正対象項目名】０００９
【補正方法】変更
【補正の内容】
【０００９】
（１）固定枠と、固定枠の外周に径嵌合される操作リングと、固定枠に備えられ、操作リングの端面が当接される端面当接部と、円周方向に沿って一定の角度間隔で操作リングに備えられる少なくとも１つの磁石部と、固定枠に備えられ、磁石部との間に作用する磁気吸引力によって、操作リングをクリックストップさせる第１磁性部と、端面当接部に備えられ、磁石部との間に作用する磁気吸引力によって、操作リングを端面当接部に引き寄せて当接させる第２磁性部と、を備えたレンズ鏡胴。
【手続補正３】
【補正対象書類名】明細書
【補正対象項目名】００３６
【補正方法】変更
【補正の内容】
【００３６】
本態様によれば、操作リングの可動範囲が一定の角度範囲に規制され、その可動範囲に対応した角度範囲に磁石部が備えられる。
【手続補正４】
【補正対象書類名】明細書
【補正対象項目名】００３７
【補正方法】変更
【補正の内容】
【００３７】
（１５）固定枠と、固定枠の外周に径嵌合される操作リングと、固定枠に備えられ、操作リングの端面が当接される端面当接部と、操作リングに備えられる磁性部と、円周方向に沿って一定の角度間隔で固定枠に備えられ、磁性部との間に作用する磁気吸引力によって、操作リングをクリックストップさせる第１磁石部と、円周方向に沿って一定の角度間隔で端面当接部に備えられ、磁性部との間に作用する磁気吸引力によって、操作リングを端面当接部に引き寄せて当接させる第２磁石部と、を備えたレンズ鏡胴。
【手続補正５】
【補正対象書類名】明細書
【補正対象項目名】００４９
【補正方法】変更
【補正の内容】
【００４９】
（２１）第１磁石部は、円周方向に沿って第１の角度間隔で備えられる少なくとも１つの第１の第１磁石部と、隣り合う第１の第１磁石部の間に第２の角度間隔で備えられる少なくとも１つの第２の第１磁石部と、で構成され、第１の第１磁石部と磁性部との間に作用する磁気吸引力が、第２の第１磁石部と磁性部との間に作用する磁気吸引力よりも強く設定された、上記（１５）から（２０）のいずれか一のレンズ鏡胴。
【手続補正６】
【補正対象書類名】明細書
【補正対象項目名】００５６
【補正方法】変更
【補正の内容】
【００５６】
本態様によれば、操作リングの可動範囲が一定の角度範囲に規制され、その可動範囲に対応した角度範囲に第１磁石部及び第２磁石部が備えられる。
【手続補正７】
【補正対象書類名】明細書
【補正対象項目名】００７３
【補正方法】変更
【補正の内容】
【００７３】
多極磁石１２は、円周方向に沿って一定の角度間隔で多極着磁された構成を有する。具体的には、図６に示すように、Ｓ極とＮ極とが円周方向に沿って一定の角度間隔で交互に配置された構成を有する。多極磁石１２において、Ｓ極及びＮ極の各磁極部分は、磁石部の一例である。なお、ここでの一定の角度間隔は、ほぼ一定と認められる範囲が含まれる。
【手続補正８】
【補正対象書類名】明細書
【補正対象項目名】０１１９
【補正方法】変更
【補正の内容】
【０１１９】
図１６及び図１７に示すように、主設定値の位置で強いクリック感を発生させる場合、主設定値（Ｆ２．８、Ｆ４、Ｆ５．６、Ｆ８、Ｆ１１、Ｆ１６及びＦ２２）の部分の高さ（絞りリング６の半径方向の厚さ）を、副設定値（Ｆ３．２、Ｆ３．５、Ｆ４．５、Ｆ５、Ｆ６．３、Ｆ７．１、Ｆ９、Ｆ１０、Ｆ１３、Ｆ１４、Ｆ１８及びＦ２０）の部分の高さよりも高くする。これにより、主設定値の部分に形成される隙間が、副設定値の部分に形成される隙間よりも狭くなり、主設定値の位置において、強い磁気吸引力が発生する。この結果、主設定値と副設定値との間で異なるクリック感が発生する。
【手続補正９】
【補正対象書類名】図面
【補正対象項目名】図５
【補正方法】変更
【補正の内容】
【図５】
2020085410.tif 000024
【手続補正１０】
【補正対象書類名】図面
【補正対象項目名】図１４
【補正方法】変更
【補正の内容】
【図１４】
2020085410.tif 000025
【国際調査報告】
2020085410.tif 000026
2020085410.tif 000027
2020085410.tif 000028
2020085410.tif 000029
2020085410.tif 000030
2020085410.tif 000031